(57)【要約】【課題】所定の非対称な湾曲形状のパネル枠に周縁部を保持されたフィルム液晶装置を備えた電子機器において、前記フィルム液晶装置をパネル隙間が均一になるようにして前記所定の非対称形状のパネル枠に保持すること。【解決手段】フィルム液晶装置１０は、所定の非対称湾曲形状の第１パネル枠部材１１と第２パネル枠部材１２とで構成されたパネル枠の保持溝Ｗに、その周縁部１０ｂを挿入して保持されている。そして、変色抑制用スペーサ１３が、フィルム液晶装置１０の湾曲による応力が集中する周縁部、即ち、フィルム液晶装置１０の湾曲軸Ｐ−Ｐ上で中心から見て長い側で且つ直角方向軸Ｑ−Ｑ上で中心から見て短い側の周縁部に対応する保持溝Ｗの部分に配置されている。【選択図】　　図１
2004054004.tif 000002
【特許請求の範囲】
【請求項１】
所定の非対称湾曲形状の第１パネル枠部材と前記第１パネル枠部材と結合されて連続した保持溝を形成する第２パネル枠部材とからなるパネル枠と、前記保持溝に周縁部を挿入して前記パネル枠に保持されるフィルム液晶装置とを備えた電子機器において、前記パネル枠の保持溝に変色抑制用スペーサを部分的に配置したことを特徴とする電子機器。
【請求項２】
前記変色抑制用スペーサが配置される前記パネル枠の保持溝の部分は、前記フィルム液晶装置の湾曲による応力が集中する周縁部に対応した場所であることを特徴とする請求項１の電子機器。
【請求項３】
前記変色抑制用スペーサが配置される前記パネル枠の保持溝の部分は、前記フィルム液晶装置の湾曲軸上で中心から見て長い側で且つ直角方向軸上で中心から見て短い側の周縁部に対応した場所であることを特徴とする請求項１又は２記載の電子機器。
【請求項４】
前記変色抑制用スペーサは、前記第１パネル枠部材と一体に形成されたものであることを特徴とする請求項１乃至３のいずれかに記載の電子機器。
【請求項５】
前記フィルム液晶装置は、平面形状が楕円状の形状であることを特徴とする請求項１の電子機器。
【請求項６】
前記第１パネル枠部材の内周縁の形状は前記フィルム液晶装置の外周縁の形状より僅かに大きく、前記第２パネル枠部材の外周縁の形状は前記第１パネル枠部材の外周縁部の形状と殆ど同一で且つその内周縁の形状は前記フィルム液晶装置の外周縁の形状よりも所定幅だけ小さいものであることを特徴とする請求項１の電子機器。
【発明の詳細な説明】
【０００１】
【発明の属する技術分野】
本発明は、フィルム液晶装置を備えた電子機器に関し、特に、非対称な湾曲形状で使用されるフィルム液晶装置の保持構造に関する。
【０００２】
【従来の技術】
電子時計や携帯型電話機などの表示装置として湾曲形状で使用されるフィルム液晶装置は、特開平６−１６０８２０号公報、特開２００２−４５０２１号公報等に開示されているが、いずれも対称な湾曲形状で使用されているものである。即ち、従来の湾曲形状で使用されるフィルム液晶装置は、長方形のフィルム液晶装置を長手方向に湾曲させて使用されたものであって、その湾曲軸は長手方向の中心軸であり且つその直角方向軸は横方向の中心軸である。ここに、湾曲軸とは湾曲方向の中心軸であり、直角方向軸は湾曲軸に直角で且つ曲率がゼロの点を通過する軸である。従って、従来の湾曲形状で使用されるフィルム液晶装置は、湾曲軸に対しても直角方向軸に対しても対称形状であるから、その周縁部を支持部材に保持されてもパネル隙間が不均一になることがない。換言すれば、従来の対称な湾曲形状で使用されるフィルム液晶装置は、パネル変色が発生することはない。
【０００３】
ところで、電子時計や携帯型電話機はファッション性が重視される商品であるため、その液晶表示面を非対称形状とすることが要求されてきた。この要求に応えるべく製作された従来の液晶表示装置を図４及び図５に示す。即ち、従来の液晶表示面を非対称な湾曲形状とする液晶表示装置は、所定の非対称湾曲形状の第１パネル枠部材１１とこの第１パネル枠部材１１と結合されて連続した保持溝Ｗを形成する第２パネル枠部材１２とからなるパネル枠と、前記保持溝Ｗに周縁部１０ｂを挿入して前記パネル枠に保持されるフィルム液晶装置１０とを含んで構成された液晶表示装置である。
【０００４】
フィルム液晶装置１０は平面形状が楕円形であり、第１パネル枠部材１１と第２パネル枠部材１２の形状も対応して楕円状の形状とされている。第１パネル枠部材１１の内周縁１１ａの形状はフィルム液晶装置１０の外周縁１０ａの形状より僅かに大きく、第２パネル枠部材１２の外周縁１２ａの形状は第１パネル枠部材１１の外周縁１１ａの形状と殆ど同一である。また、第２パネル枠部材１２の内周縁１２ｂの形状はフィルム液晶装置１０の外周縁１０ａの形状よりも僅かに小さい。図４（Ａ）において、Ｐ−Ｐは湾曲軸、Ｑ−Ｑは直角方向軸である。
【０００５】
上述の如く構成した従来の液晶表示面を非対称な湾曲形状とする液晶表示装置においては、フィルム液晶装置１０に不均一な応力が発生し、パネル隙間に差が生じ、ひいては温度変化でパネル変色が発生するという問題があった。即ち、図４（Ａ）においては、フィルム液晶装置１０の湾曲軸Ｐ−Ｐの軸上で中心から見て長い側で且つ直角方向軸Ｑ−Ｑの軸上で中心から見て短い側の領域である第１エリアの周縁部に、上述の不均一な応力が発生する。なお、非対称形状に湾曲された液晶表示装置１０の第２エリア、第３エリア、第４エリアには上述の不均一な応力は発生していない。
【０００６】
【発明が解決しようとする課題】
本発明が解決しようとする課題は、所定の非対称な湾曲形状のパネル枠に周縁部を保持されたフィルム液晶装置を備えた電子機器において、前記フィルム液晶装置をパネル隙間が均一になるようにして前記所定の非対称形状のパネル枠に保持することである。
【０００７】
【課題を解決するための手段】
上記課題を解決するために、所定の非対称湾曲形状の第１パネル枠部材と前記第１パネル枠部材と結合されて連続した保持溝を形成する第２パネル枠部材とからなるパネル枠と、前記保持溝に周縁部を挿入して前記パネル枠に保持されるフィルム液晶装置とを備えた電子機器において、前記パネル枠の保持溝に変色抑制用スペーサを部分的に配置した。
【０００８】
前記変色抑制用スペーサが配置される前記パネル枠の保持溝の部分は、前記フィルム液晶装置の湾曲による応力が集中する周縁部に対応した場所である。
【０００９】
より具体的に特定すれば、前記変色抑制用スペーサが配置される前記パネル枠の保持溝の部分は、前記フィルム液晶装置の湾曲軸上で中心から見て長い側で且つ直角方向軸上で中心から見て短い側の周縁部に対応した場所である。
【００１０】
同様に、より具体的に特定すれば、前記変色抑制用スペーサは前記第１パネル枠部材と一体に形成されている。更に、前記フィルム液晶装置の平面形状は楕円形である。更にまた、前記第１パネル枠部材の内周縁の形状は前記フィルム液晶装置の外周縁の形状より僅かに大きく、前記第２パネル枠部材の外周縁の形状は前記第１パネル枠部材の外周縁の形状と殆ど同一で且つその内周縁の形状は前記フィルム液晶装置の外周縁の形状よりも所定幅だけ小さいものである。
【００１１】
【発明の実施の形態】
本発明の実施形態を図１〜図３を参照して以下に説明する。電子機器として、腕時計、手帳サイズやクレジットカードサイズの表示装置を有する電子機器などの携帯型電子機器について説明する。なお、図１は本発明の一実施形態の要部の平面図で、図２は分解斜視図である。また、図３は図１とは湾曲方向を異ならせた場合の本発明の他の実施形態の平面図（Ａ）と断面図（Ｂ）である。
【００１２】
本発明に係る液晶表示面を非対称な湾曲形状とする液晶表示装置は、所定の非対称な湾曲形状の第１パネル枠部材１１とこの第１パネル枠部材１１と結合されて連続した保持溝Ｗを形成する第２パネル枠部材１２とからなるパネル枠と、前記保持溝Ｗに周縁部１０ｂを挿入して前記パネル枠に保持されるフィルム液晶装置１０とを含んで構成された液晶表示装置である。表示面として使用される面は、第２パネル枠部材１２の内周縁１２ｂで囲まれたフィルム液晶装置１０の面である。
【００１３】
フィルム液晶装置１０は平面形状が楕円形であり、第１パネル枠部材１１と第２パネル枠部材１２の形状も対応して楕円状の形状である。第１パネル枠部材１１の内周縁１１ａの形状はフィルム液晶装置１０の外周縁１０ａの形状より僅かに大きく、第２パネル枠部材１２の外周縁１２ａの形状は第１パネル枠部材１１の外周縁１１ａの形状と殆ど同一である。また、第２パネル枠部材１２の内周縁１２ｂの形状はフィルム液晶装置１０の外周縁１０ａの形状よりも僅かに小さい。
【００１４】
フィルム液晶装置１０の第１エリアの周縁部に対応した保持溝Ｗの部分に変色抑制用スペーサ１３が配置されている。変色抑制用スペーサ１３は、所定の幅と厚さの部材であってもよいが、第１パネル枠部材の底面に所定の幅と厚さの肉盛りを施して形成されている。変色抑制用スペーサ１３が配置されている周縁部は、フィルム液晶装置１０の湾曲軸Ｐ−Ｐの軸上で中心から見て長い側で且つ直角方向軸Ｑ−Ｑの軸上で中心から見て短い側の領域である第１エリアの周縁部で、湾曲により不均一な応力が発生している場所、換言すれば部分的な応力集中が発生している場所である。
【００１５】
フィルム液晶装置１０の第１エリアの周縁部に対応した保持溝Ｗの部分、即ち湾曲により部分的な応力集中が発生している場所に対応した保持溝Ｗの部分に、変色抑制用スペーサ１３を配置することによって、部分的な応力集中が緩和され、パネル隙間が均一化される。従って、本発明に係る液晶表示面を非対称な湾曲形状とする液晶表示装置においては、液晶溜りがなくなり、変色の発生を抑制できるようになった。
【００１６】
以上、変色抑制用スペーサ１３によって、非対称な湾曲形状のフィルム液晶装置の全面において部分的な応力集中が緩和される実施形態、即ち、表示面として使用される面は勿論のこと保持溝Ｗに保持されている面も部分的な応力集中が緩和される実施形態を説明した。しかしながら、本発明はこのような実施形態に限定されるものではない。例えば、保持溝Ｗ内に存在する周縁部の面積が広い構造の非対称な湾曲形状のフィルム液晶装置を備えた液晶表示装置においては、変色抑制用スペーサ１３によって前記周縁部に意図的な応力集中を行わせ、表示面として使用される面の応力を均一化させることもできる。このように、非対称な湾曲形状のフィルム液晶装置の周縁部に、変色抑制用スペーサ１３によって意図的な応力集中を行わせることによって、変色防止を実現するものである。
【００１７】
要するに、本発明は所定の非対称な湾曲形状のパネル枠に周縁部を保持されたフィルム液晶装置を備えた電子機器において、前記パネル枠に形成された保持溝に変色抑制用スペーサを部分的に配置したことを特徴とする電子機器である。そして、変色抑制用スペーサとしては、非対称な湾曲形状で使用されるフィルム液晶装置の形状に対応して様々なものを採用できる。従って、フィルム液晶装置の湾曲化の設計の自由度が高くなった。
【００１８】
【発明の効果】
本発明により、所定の非対称な湾曲形状のパネル枠に周縁部を保持されたフィルム液晶装置を備えた電子機器において、前記パネル枠に形成された保持溝に変色抑制用スペーサを部分的に配置することによって、パネル隙間が均一になるようにして前記フィルム液晶装置を前記パネル枠に保持することが可能となった。従って、様々な形状のフィルム液晶装置の湾曲化を高い品質で実現できるようになった。
【図面の簡単な説明】
【図１】本発明の一実施形態の液晶表示装置の要部の平面図である。
【図２】図１の液晶表示装置の要部の分解斜視図である。
【図３】湾曲方向を図１とは異ならせた場合の本発明の実施形態の液晶表示装置の要部の平面図（Ａ）と断面図（Ｂ）である。
【図４】従来の液晶表示装置の要部の平面図（Ａ）と断面図（Ｂ）である。
【図５】従来の液晶表示装置の要部の分解斜視図である。
【符号の説明】
１０　フィルム液晶装置
１１　第１パネル枠部材
１２　第２パネル枠部材
１３　変色抑制用スペーサ
Ｗ　保持溝
Ｐ−Ｐ　湾曲軸
Ｑ−Ｑ　直角方向軸
【図１】
2004054004.tif 000003
【図２】
2004054004.tif 000004
【図３】
2004054004.tif 000005
【図４】
2004054004.tif 000006
【図５】
2004054004.tif 000007